(57)【要約】【課題】シンプルな構成によりネジ部から緩みにくくなるような締結器具、このような締結器具を備えた締結構造およびこのような締結器具を用いた締結方法を提供する。【解決手段】第１の方向に巻く雄ネジ部分３４ａが外周面に形成されたネジ部３４に取り付けられる締結器具は、本体ナット１０と、ロックナット２０とを備えている。本体ナット１０は、ナット部１２と、ナット部１２から突出し、第１の方向とは逆方向の第２の方向に巻く雄ネジ部分１４ａが外周面に形成された突起部１４とを有しており、ナット部１２および突起部１４には、ネジ部３４の雄ネジ部分３４ａが螺合する雌ネジ部分１６ａが内周面に形成されたネジ穴１６が設けられている。ロックナットには、本体ナット１０の突起部１４の雄ネジ部分１４ａが螺合する雌ネジ部分２２ａが内周面に形成されたネジ穴２２が設けられている。【選択図】図２
2020109312.tif 000002
【特許請求の範囲】
【請求項１】
第１の方向に巻く雄ネジ部分が外周面に形成されたネジ部に取り付けられる締結器具であって、
ナット部と、前記ナット部から突出し、前記第１の方向とは逆方向の第２の方向に巻く雄ネジ部分が外周面に形成された突起部とを有しており、前記ナット部および前記突起部には、前記ネジ部の前記雄ネジ部分が螺合する雌ネジ部分が内周面に形成されたネジ穴が設けられている本体ナットと、
前記本体ナットの前記突起部の前記雄ネジ部分が螺合する雌ネジ部分が内周面に形成されたネジ穴が設けられているロックナットと、
を備えた、締結器具。
【請求項２】
前記ナット部の前記ネジ穴の内周面に形成されている雌ネジ部分は、前記ネジ部における右ネジの前記雄ネジ部分が螺合するものであり、
前記本体ナットの前記突起部の外周面には、左ネジの前記雄ネジ部分が形成されている、請求項１記載の締結器具。
【請求項３】
前記ナット部の前記ネジ穴の内周面に形成されている雌ネジ部分は、前記ネジ部における左ネジの前記雄ネジ部分が螺合するものであり、
前記本体ナットの前記突起部の外周面には、右ネジの前記雄ネジ部分が形成されている、請求項１記載の締結器具。
【請求項４】
第１の端部および第２の端部がそれぞれ設けられ、弾性変形可能なスプリングワッシャーを更に備え、
前記ロックナットの表面には、前記スプリングワッシャーの前記第１の端部が引っ掛かる複数の段差部分が形成されており、
前記本体ナットは、前記スプリングワッシャーの前記第２の端部が引っ掛かる複数の段差部分が形成された段差部を有している、請求項１乃至３のいずれか一項に記載の締結器具。
【請求項５】
第１の方向に巻く雄ネジ部分が外周面に形成されたネジ部と、
前記ネジ部に取り付けられる締結器具と、
を備えた締結構造であって、
前記締結器具は、
ナット部と、前記ナット部から突出し、前記第１の方向とは逆方向の第２の方向に巻く雄ネジ部分が外周面に形成された突起部とを有しており、前記ナット部および前記突起部には、前記ネジ部の前記雄ネジ部分が螺合する雌ネジ部分が内周面に形成されたネジ穴が設けられている本体ナットと、
前記本体ナットの前記突起部の前記雄ネジ部分が螺合する雌ネジ部分が内周面に形成されたネジ穴が設けられているロックナットと、
を有している、締結構造。
【請求項６】
第１の方向に巻く雄ネジ部分が外周面に形成されたネジ部に締結器具を取り付けることにより対象物を固定する締結方法であって、
ナット部と、前記ナット部から突出し、前記第１の方向とは逆方向の第２の方向に巻く雄ネジ部分が外周面に形成された突起部とを有しており、前記ナット部および前記突起部には、前記ネジ部の前記雄ネジ部分が螺合する雌ネジ部分が内周面に形成されたネジ穴が設けられている本体ナットと、前記本体ナットの前記突起部の前記雄ネジ部分が螺合する雌ネジ部分が内周面に形成されたネジ穴が設けられているロックナットと、を有する締結器具を準備する工程と、
前記本体ナットの前記突起部を前記ロックナットの前記ネジ穴に入れることにより前記突起部に前記ロックナットを取り付ける工程と、
前記ネジ部を前記本体ナットの前記ネジ穴に入れることにより前記ネジ部に前記本体ナットを取り付ける工程と、
を備えた、締結方法。
【請求項７】
前記本体ナットの前記突起部を前記ロックナットの前記ネジ穴に入れることにより前記突起部に前記ロックナットを取り付ける際に、前記ロックナットの表面から前記本体ナットの前記突起部が突出するようにし、
前記ネジ部を前記本体ナットの前記ネジ穴に入れることにより前記ネジ部に前記本体ナットを取り付けた後、前記本体ナットに対して前記ロックナットを回転させることにより前記ロックナットと対象物とを接触させる、請求項６記載の締結方法。
【請求項８】
前記ロックナットと対象物とを接触させた後、対象物に前記ロックナットを固定する、請求項７記載の締結方法。
【発明の詳細な説明】
【技術分野】
【０００１】
本発明は、第１の方向に巻く雄ネジ部分が外周面に形成されたネジ部に取り付けられる締結器具、このような締結器具を備えた締結構造およびこのような締結器具を用いた締結方法に関する。
【背景技術】
【０００２】
従来から、例えばある部材に別の部材を取り付ける際に、ボルトおよびナットを用いる方法が知られている。このようなボルトおよびナットを用いた締結構造としては、例えば特許文献１等に開示されるものがある。特許文献１に開示される締結構造では、締結状態では緩まず、メンテナンス時においては簡単に緩めることができて、ボルトやナットの再利用が可能となる。
【先行技術文献】
【特許文献】
【０００３】
【特許文献１】特開２０１８−１３８８１４号公報
【発明の概要】
【発明が解決しようとする課題】
【０００４】
従来では、ボルトにナットが締結された状態でナットが緩みにくくするには複雑な構造とする必要があり、コストが大きくなったり締結を行う作業に手間がかかったりするという問題があった。
【０００５】
本発明は、上記の点を考慮してなされたものであり、シンプルな構成によりネジ部から緩みにくくなるような締結器具、このような締結器具を備えた締結構造およびこのような締結器具を用いた締結方法を提供することを目的とする。
【課題を解決するための手段】
【０００６】
本発明の締結器具は、第１の方向に巻く雄ネジ部分が外周面に形成されたネジ部に取り付けられる締結器具であって、ナット部と、前記ナット部から突出し、前記第１の方向とは逆方向の第２の方向に巻く雄ネジ部分が外周面に形成された突起部とを有しており、前記ナット部および前記突起部には、前記ネジ部の前記雄ネジ部分が螺合する雌ネジ部分が内周面に形成されたネジ穴が設けられている本体ナットと、前記本体ナットの前記突起部の前記雄ネジ部分が螺合する雌ネジ部分が内周面に形成されたネジ穴が設けられているロックナットと、を備えたことを特徴とする。
【０００７】
このような締結器具によれば、ロックナットに対して本体ナットの突起部をある向きに締めた後にネジ部に対して本体ナットを逆の向きに締め、その後に本体ナットの突起部に対してロックナットを回転させることにより、本体ナットがボルトから緩みにくくすることができる。
【０００８】
本発明の締結器具においては、前記ナット部の前記ネジ穴の内周面に形成されている雌ネジ部分は、前記ネジ部における右ネジの前記雄ネジ部分が螺合するものであり、前記本体ナットの前記突起部の外周面には、左ネジの前記雄ネジ部分が形成されていてもよい。
【０００９】
本発明の締結器具においては、前記ナット部の前記ネジ穴の内周面に形成されている雌ネジ部分は、前記ネジ部における左ネジの前記雄ネジ部分が螺合するものであり、前記本体ナットの前記突起部の外周面には、右ネジの前記雄ネジ部分が形成されていてもよい。
【００１０】
本発明の締結器具は、第１の端部および第２の端部がそれぞれ設けられ、弾性変形可能なスプリングワッシャーを更に備え、前記ロックナットの表面には、前記スプリングワッシャーの前記第１の端部が引っ掛かる複数の段差部分が形成されており、前記本体ナットは、前記スプリングワッシャーの前記第２の端部が引っ掛かる複数の段差部分が形成された段差部を有していてもよい。
【００１１】
本発明の締結構造は、第１の方向に巻く雄ネジ部分が外周面に形成されたネジ部と、前記ネジ部に取り付けられる締結器具と、を備えた締結構造であって、前記締結器具は、ナット部と、前記ナット部から突出し、前記第１の方向とは逆方向の第２の方向に巻く雄ネジ部分が外周面に形成された突起部とを有しており、前記ナット部および前記突起部には、前記ネジ部の前記雄ネジ部分が螺合する雌ネジ部分が内周面に形成されたネジ穴が設けられている本体ナットと、前記本体ナットの前記突起部の前記雄ネジ部分が螺合する雌ネジ部分が内周面に形成されたネジ穴が設けられているロックナットと、を有していることを特徴とする。
【００１２】
このような締結構造によれば、ロックナットに対して本体ナットの突起部をある向きに締めた後にネジ部に対して本体ナットを逆の向きに締め、その後に本体ナットの突起部に対してロックナットを回転させることにより、本体ナットがボルトから緩みにくくすることができる。
【００１３】
本発明の締結方法は、第１の方向に巻く雄ネジ部分が外周面に形成されたネジ部に締結器具を取り付けることにより対象物を固定する締結方法であって、ナット部と、前記ナット部から突出し、前記第１の方向とは逆方向の第２の方向に巻く雄ネジ部分が外周面に形成された突起部とを有しており、前記ナット部および前記突起部には、前記ネジ部の前記雄ネジ部分が螺合する雌ネジ部分が内周面に形成されたネジ穴が設けられている本体ナットと、前記本体ナットの前記突起部の前記雄ネジ部分が螺合する雌ネジ部分が内周面に形成されたネジ穴が設けられているロックナットと、を有する締結器具を準備する工程と、前記本体ナットの前記突起部を前記ロックナットの前記ネジ穴に入れることにより前記突起部に前記ロックナットを取り付ける工程と、前記ネジ部を前記本体ナットの前記ネジ穴に入れることにより前記ネジ部に前記本体ナットを取り付ける工程と、を備えたことを特徴とする。
【００１４】
このような締結方法によれば、ロックナットに対して本体ナットの突起部をある向きに締めた後にネジ部に対して本体ナットを逆の向きに締め、その後に本体ナットの突起部に対してロックナットを回転させることにより、本体ナットがボルトから緩みにくくすることができる。
【００１５】
本発明の締結方法においては、前記本体ナットの前記突起部を前記ロックナットの前記ネジ穴に入れることにより前記突起部に前記ロックナットを取り付ける際に、前記ロックナットの表面から前記本体ナットの前記突起部が突出するようにし、前記ネジ部を前記本体ナットの前記ネジ穴に入れることにより前記ネジ部に前記本体ナットを取り付けた後、前記本体ナットに対して前記ロックナットを回転させることにより前記ロックナットと対象物とを接触させてもよい。
【００１６】
この際に、前記ロックナットと対象物とを接触させた後、対象物に前記ロックナットを固定してもよい。
【発明の効果】
【００１７】
本発明の締結器具、締結構造および締結方法によれば、シンプルな構成によりネジ部から締結器具が緩みにくくなるようにすることができる。
【図面の簡単な説明】
【００１８】
【図１】本発明の第１の実施の形態による締結器具の構成を示す側面図であって、ロックナットを締める前の状態を示す図である。
【図２】本発明の第１の実施の形態による締結器具の構成を示す側面図であって、ロックナットを締めた後の状態を示す図である。
【図３】図１および図２に示す締結器具における本体ナットの構成を示す斜視図である。
【図４】図３に示す本体ナットの側面図である。
【図５】図３に示す本体ナットの上面図である。
【図６】図３に示す本体ナットの底面図である。
【図７】図１および図２に示す締結器具におけるロックナットの構成を示す側面図である。
【図８】図７に示すロックナットの構成を示す上面図である。
【図９】本発明の第２の実施の形態による締結器具の構成を示す側面図であって、ロックナットを締める前の状態を示す図である。
【図１０】本発明の第２の実施の形態による締結器具の構成を示す側面図であって、ロックナットを締めた後の状態を示す図である。
【図１１】本発明の第２の実施の形態による締結器具の構成を示す斜視図であって、ロックナットを締めた後の状態を示す図である。
【図１２】図９乃至図１１に示す締結器具における本体ナットの構成を示す斜視図である。
【図１３】図１２に示す本体ナットの側面図である。
【図１４】図１２に示す本体ナットの上面図である。
【図１５】図１２に示す本体ナットの底面図である。
【図１６】図９乃至図１１に示す締結器具におけるロックナットの構成を示す斜視図である。
【図１７】図１６に示すロックナットの構成を示す上面図である。
【図１８】図１６に示すロックナットの構成を示す底面図である。
【図１９】図９乃至図１１に示す締結器具におけるスプリングワッシャーの構成を示す側面図である。
【図２０】図１９に示すスプリングワッシャーの構成を示す上面図である。
【発明を実施するための形態】
【００１９】
〔第１の実施の形態〕
以下、図面を参照して本発明の実施の形態について説明する。図１乃至図８は、本実施の第１の形態に係る締結器具である。本実施の形態に係る締結器具は、例えば第１の部材９０に第２の部材９２を固定するためにボルト３０のネジ部３４に取り付けられるものである。このような締結器具の構成の詳細について以下に説明する。
【００２０】
図１および図２に示すように、本実施の形態に係る締結器具は、本体ナット１０と、ロックナット２０とを備えており、これらの本体ナット１０およびロックナット２０からなる締結器具がボルト３０のネジ部３４に取り付けられるようになっている。ここで、本実施の形態に係る締結器具が取り付けられるボルト３０は、ヘッド部３２および棒状のネジ部３４を備えている。また、ネジ部３４の外周面には右ネジの雄ネジ部分３４ａが形成されている。
【００２１】
本体ナット１０の構成の詳細について図３乃至図６を用いて説明する。図３は、本体ナット１０の構成を示す斜視図であり、図４乃至図６は、それぞれ、図３に示す本体ナット１０の側面図、上面図および底面図である。図３等に示すように、本体ナット１０は、六角ナットからなるナット部１２と、ナット部１２の底面から突出した突起部１４とを有している。また、これらのナット部１２および突起部１４には、断面が略円形であるネジ穴１６がナット部１２および突起部１４を貫通するよう形成されており、このネジ穴１６の内周面には、ボルト３０のネジ部３４における右ネジの雄ネジ部分３４ａに対応する雌ネジ部分１６ａが形成されている。そして、本体ナット１０のネジ穴１６の雌ネジ部分１６ａにボルト３０のネジ部３４の雄ネジ部分３４ａが螺合されることにより、ボルト３０のネジ部３４に本体ナット１０が取り付けられるようになっている。より詳細には、ボルト３０のネジ部３４に対して、本体ナット１０を図３における右回り（時計回りの方向）に回転させながらネジ穴１６の雌ネジ部分１６ａにネジ部３４の雄ネジ部分３４ａが嵌まり込むようにする。また、突起部１４は略円柱形状となっており、この突起部１４の外周面には左ネジの雄ネジ部分１４ａが形成されている。
【００２２】
ロックナット２０の構成の詳細について図７および図８を用いて説明する。図７および図８は、それぞれ、ロックナット２０の構成を示す側面図および上面図である。図７および図８に示すように、ロックナット２０はいわゆるリング形状のものとなっており、その中心の近傍の箇所には断面が略円形であるネジ穴２２がロックナット２０を貫通するよう形成されている。また、ネジ穴２２の内周面には、本体ナット１０の突起部１４における左ネジの雄ネジ部分１４ａに対応する雌ネジ部分２２ａが形成されている。そして、ロックナット２０のネジ穴２２の雌ネジ部分２２ａに本体ナット１０の突起部１４の雄ネジ部分１４ａが螺合されることにより、本体ナット１０の突起部１４にロックナット２０が取り付けられるようになっている。より詳細には、ロックナット２０に対して、本体ナット１０を図３における左回り（反時計回りの方向）に回転させながら突起部１４の雄ネジ部分１４ａをネジ穴２２の雌ネジ部分２２ａに嵌め込むことにより本体ナット１０にロックナット２０が取り付けられるようになっている。
【００２３】
また、本実施の形態では、本体ナット１０およびロックナット２０からなる締結器具と、ボルト３０のネジ部３４とを組み合わせることにより、第１の部材９０を第２の部材９２に固定するための締結構造が構成されている。
【００２４】
次に、本実施の形態の締結器具をボルト３０のネジ部３４に取り付けることによって第１の部材９０に第２の部材９２を固定するときの動作について以下に説明する。
【００２５】
最初に、ボルト３０のネジ部３４を、第１の部材９０および第２の部材９２にそれぞれ形成されている貫通穴（図示せず）に通すことにより、このネジ部３４が第２の部材９２から突出するようにする。また、本実施の形態の締結器具をボルト３０のネジ部３４に取り付ける前に、本体ナット１０にロックナット２０を取り付ける。具体的には、ロックナット２０に対して、本体ナット１０を図３における左回り（反時計回りの方向）に回転させながら突起部１４をネジ穴２２に嵌め込む。別の方法として、本体ナット１０に対して、ロックナット２０を図８における右回り（時計回りの方向）に回転させながらネジ穴２２に突起部１４が嵌まり込むようにする。また、ロックナット２０が本体ナット１０に取り付けられたときに、ロックナット２０の底面は、突起部１４の底面よりもナット部１２に近い位置となるようにする。言い換えると、ロックナット２０が本体ナット１０に取り付けられたときに、ロックナット２０の底面から本体ナット１０の突起部１４が下方に突出するようにする。
【００２６】
次に、ロックナット２０が取り付けられた本体ナット１０をボルト３０のネジ部３４に取り付ける。具体的には、ボルト３０のネジ部３４に対して、本体ナット１０を図３における右回り（時計回りの方向）に回転させながらネジ穴１６の雌ネジ部分１６ａにネジ部３４の雄ネジ部分３４ａが嵌まり込むようにする。このことにより、図１に示すように、第１の部材９０および第２の部材９２はボルト３０のヘッド部３２と本体ナット１０の突起部１４との間に挟まれた状態となり、第２の部材９２が第１の部材９０に固定される。また、ロックナット２０が取り付けられた本体ナット１０をボルト３０のネジ部３４に取り付けただけでは、ロックナット２０の底面から本体ナット１０の突起部１４が下方に突出しているため、ロックナット２０の底面と第２の部材９２との間に隙間が形成される。
【００２７】
その後、図１に示すような状態でロックナット２０を左回り（図１を上方から見て反時計回りの方向）に回転させると、このロックナット２０が嵌め込まれている本体ナット１０の突起部１４には左ネジの雄ネジ部分１４ａが形成されているため、ロックナット２０は本体ナット１０のナット部１２から遠ざかる方向に移動し、図２に示すようにロックナット２０の底面が第２の部材９２に接触する。この状態でロックナット２０を更に左回りに回転させると、ロックナット２０はこれ以上図２における下方向に移動することができないため、本体ナット１０の突起部１４に対して右回り（図２を上方から見て時計回りの方向）に回転する力がかかるようになり、ボルト３０のヘッド部３２に対して本体ナット１０がより一層締め付けられる状態となる。このため、本体ナット１０はボルト３０から緩みにくくなる。
【００２８】
また、本実施の形態では、ロックナット２０の底面を第２の部材９２に接触させる際に、接着剤等によりロックナット２０を第２の部材９２に固定するようにしてもよい。この場合には、本体ナット１０がボルト３０から緩もうとすると、本体ナット１０は左回り（図２を上方から見て反時計回りの方向）に回転しようとするが、ロックナット２０が第２の部材９２に固定されていることにより、ロックナット２０に対して本体ナット１０の突起部１４をこれ以上図２に示す状態から左回り（図２を上方から見て反時計回りの方向）に回転させることができない。このため、本体ナット１０がボルト３０から緩んでしまうことがより一層確実に防止される。
【００２９】
以上のような構成からなる本実施の形態の締結器具によれば、当該締結器具が取り付けられるネジ部３４の外周面には、第１の方向に巻く（具体的には、右ネジの）雄ネジ部分３４ａが形成されており、本体ナット１０は、ナット部１２と、ナット部１２から突出し、第１の方向とは逆方向の第２の方向に巻く（具体的には、左ネジの）雄ネジ部分１４ａが外周面に形成された突起部１４とを有しており、ナット部１２および突起部１４には、ネジ部３４の雄ネジ部分３４ａが螺合する雌ネジ部分１６ａが内周面に形成されたネジ穴１６が設けられている。また、ロックナット２０には、本体ナット１０の突起部１４の雄ネジ部分１４ａが螺合する雌ネジ部分２２ａが内周面に形成されたネジ穴２２が設けられている。このような締結器具によれば、ロックナット２０に対して本体ナット１０の突起部１４を左回りに締めた後にネジ部３４に対して本体ナット１０を右回りに締め、その後に本体ナット１０の突起部１４に対してロックナット２０を左回りに回転させることにより、本体ナット１０がボルト３０から緩みにくくすることができる。
【００３０】
なお、本実施の形態の締結器具は、上記の構成に限定されることはない。本実施の形態の締結器具の他の例として、ネジ部３４の外周面に、右ネジではなく左ネジの雄ネジ部分３４ａが形成されており、ナット部１２および突起部１４に形成されるネジ穴１６の内周面に、左ネジの雄ネジ部分３４ａが螺合する雌ネジ部分１６ａが形成されていてもよい。この場合には、突起部１４の外周面には、左ネジではなく右ネジの雄ネジ部分１４ａが形成され、ロックナット２０のネジ穴２２の内周面には、右ネジの雄ネジ部分１４ａが螺合する雌ネジ部分２２ａが形成されるようになる。このような締結器具でも、ロックナット２０に対して本体ナット１０の突起部１４を右回りに締めた後にネジ部３４に対して本体ナット１０を左回りに締め、その後に本体ナット１０の突起部１４に対してロックナット２０を右回りに回転させることにより、本体ナット１０がボルト３０から緩みにくくすることができる。
【００３１】
また、本実施の形態では、上述したように、本体ナット１０およびロックナット２０からなる締結器具と、ネジ部３４とを組み合わせることにより、第１の部材９０を第２の部材９２に固定するための締結構造が構成されている。このような締結構造でも、本体ナット１０がボルト３０から緩みにくくすることができる。
【００３２】
また、本実施の形態の締結器具を用いた締結方法によれば、本体ナット１０の突起部１４をロックナット２０のネジ穴２２に入れることにより突起部１４にロックナット２０を取り付ける際に、図１に示すようにロックナット２０の表面から本体ナット１０の突起部１４が突出するようにする。そして、ネジ部３４を本体ナット１０のネジ穴１６に入れることによりネジ部３４に本体ナット１０を取り付けた後、本体ナット１０に対してロックナット２０を回転させることによりロックナット２０と対象物とを接触させる。この場合には、ボルト３０のヘッド部３２に対して本体ナット１０がより一層締め付けられる状態となるため、本体ナット１０はボルト３０からより一層緩みにくくなる。
【００３３】
また、本実施の形態の締結器具を用いた締結方法において、ロックナット２０と対象物（具体的には、第２の部材９２）とを接触させた後、対象物にロックナット２０を固定した場合には、ロックナット２０に対して本体ナット１０の突起部１４を当該本体ナット１０が緩む方向に回転させることができなくなるため、本体ナット１０がボルト３０から緩んでしまうことが確実に防止される。なお、対象物にロックナット２０を固定する方法は接着剤を用いる方法に限定されることはない。対象物にロックナット２０を固定する方法として、他の様々な方法を用いることができる。
【００３４】
〔第２の実施の形態〕
次に、本発明の他の実施の形態について説明する。図９乃至図２０は、本実施の第２の形態に係る締結器具である。本実施の形態に係る締結器具も、例えば第１の部材９０に第２の部材９２を固定するためにボルト３０のネジ部３４に取り付けられるものである。このような締結器具の構成の詳細について以下に説明する。
【００３５】
図９乃至図１１に示すように、本実施の形態に係る締結器具は、本体ナット４０と、ロックナット５０と、スプリングワッシャー６０を備えており、これらの本体ナット４０、ロックナット５０およびスプリングワッシャー６０からなる締結器具がボルト３０のネジ部３４に取り付けられるようになっている。ここで、本実施の形態に係る締結器具が取り付けられるボルト３０は、第１の実施の形態で説明したボルト３０と略同一の構成となっているためその説明を省略する。
【００３６】
本体ナット４０の構成の詳細について図１２乃至図１５を用いて説明する。図１２は、本体ナット４０の構成を示す斜視図であり、図１３乃至図１５は、それぞれ、図１２に示す本体ナット４０の側面図、上面図および底面図である。図１２等に示すように、本体ナット４０は、六角ナットからなるナット部４２と、ナット部４２の底面に取り付けられた略円盤形状の段差部４８と、段差部４８から下方に突出した突起部４４とを有している。また、これらのナット部４２、段差部４８および突起部４４には、断面が略円形であるネジ穴４６がナット部４２、段差部４８および突起部４４を貫通するよう形成されており、このネジ穴４６の内周面には、ボルト３０のネジ部３４における右ネジの雄ネジ部分３４ａに対応する雌ネジ部分４６ａが形成されている。そして、本体ナット４０のネジ穴４６の雌ネジ部分４６ａにボルト３０のネジ部３４の雄ネジ部分３４ａが螺合されることにより、ボルト３０のネジ部３４に本体ナット４０が取り付けられるようになっている。より詳細には、ボルト３０のネジ部３４に対して、本体ナット４０を図１２における右回り（時計回りの方向）に回転させながらネジ穴４６の雌ネジ部分４６ａにネジ部３４の雄ネジ部分３４ａが嵌まり込むようにする。また、突起部４４は略円柱形状となっており、この突起部４４の外周面には左ネジの雄ネジ部分４４ａが形成されている。また、段差部４８の底面には、後述するスプリングワッシャー６０の第２の端部６０ｂが引っ掛かるような複数の段差部分４８ａが形成されている。
【００３７】
ロックナット５０の構成の詳細について図１６乃至図１８を用いて説明する。図１６は、ロックナット５０の構成を示す斜視図であり、図１７および図１８は、それぞれ、図１６に示すロックナット５０の側面図および上面図である。図１６乃至図１８に示すように、ロックナット５０はいわゆるリング形状のものとなっており、その中心の近傍の箇所には断面が略円形であるネジ穴５２がロックナット５０を貫通するよう形成されている。また、ネジ穴５２の内周面には、本体ナット４０の突起部４４における左ネジの雄ネジ部分４４ａに対応する雌ネジ部分５２ａが形成されている。そして、ロックナット５０のネジ穴５２の雌ネジ部分５２ａに本体ナット４０の突起部４４の雄ネジ部分４４ａが螺合されることにより、本体ナット４０の突起部４４にロックナット５０が取り付けられるようになっている。より詳細には、ロックナット５０に対して、本体ナット４０を図１２における左回り（反時計回りの方向）に回転させながら突起部４４の雄ネジ部分４４ａをネジ穴５２の雌ネジ部分５２ａに嵌め込むことにより本体ナット４０にロックナット５０が取り付けられるようになっている。また、ロックナット５０の上面には、後述するスプリングワッシャー６０の第１の端部６０ａが引っ掛かるような複数の段差部分５０ａが形成されている。
【００３８】
スプリングワッシャー６０の構成の詳細について図１９および図２０を用いて説明する。図１９および図２０は、それぞれ、スプリングワッシャー６０の側面図および上面図である。図１９および図２０に示すように、スプリングワッシャー６０は、いわゆるリング形状の一部が切れたものとなっており、その中心の近傍の箇所には断面が略円形である貫通穴６２が形成されている。また、スプリングワッシャー６０の第１の端部６０ａと第２の端部６０ｂとの間には隙間が形成されている。また、スプリングワッシャー６０は、単一の平面上に沿った構成のものではなく、第１の端部６０ａおよび第２の端部６０ｂの位置がずれているようなねじれた形状となっている。また、スプリングワッシャー６０の材料は例えばステンレスや鉄等であり、当該スプリングワッシャー６０は弾性変形することができるようになっている。
【００３９】
また、本実施の形態では、本体ナット４０、ロックナット５０およびスプリングワッシャー６０からなる締結器具と、ボルト３０のネジ部３４とを組み合わせることにより、第１の部材９０を第２の部材９２に固定するための締結構造が構成されている。
【００４０】
次に、本実施の形態の締結器具をボルト３０のネジ部３４に取り付けることによって第１の部材９０に第２の部材９２を固定するときの動作について以下に説明する。
【００４１】
最初に、ボルト３０のネジ部３４を、第１の部材９０および第２の部材９２にそれぞれ形成されている貫通穴（図示せず）に通すことにより、このネジ部３４が第２の部材９２から突出するようにする。また、本実施の形態の締結器具をボルト３０のネジ部３４に取り付ける前に、本体ナット４０にロックナット５０およびスプリングワッシャー６０を取り付ける。具体的には、まず本体ナット４０の突起部４４をスプリングワッシャー６０の貫通穴６２に通した後、ロックナット５０に対して、本体ナット４０を図１２における左回り（反時計回りの方向）に回転させながら突起部４４をネジ穴５２に嵌め込む。別の方法として、本体ナット４０に対して、ロックナット５０を図１６や図１８における右回り（時計回りの方向）に回転させながらネジ穴５２に突起部４４が嵌まり込むようにする。また、ロックナット５０を本体ナット４０に取り付ける際に、ロックナット５０をできるだけ本体ナット４０のナット部４２に近づけるようにする。このときに、スプリングワッシャー６０はロックナット５０と本体ナット４０のナット部４２との間に挟まれるが、ロックナット５０によりスプリングワッシャー６０が本体ナット４０のナット部４２側に押圧されることにより、スプリングワッシャー６０は弾性変形を行い、第１の端部６０ａおよび第２の端部６０ｂの位置が揃うようになる（図９参照）。また、スプリングワッシャー６０はロックナット５０と本体ナット４０のナット部４２との間に挟まれた状態となると、ロックナット５０の底面は、突起部４４の底面よりもナット部４２に近い位置となる。言い換えると、ロックナット５０が本体ナット４０に取り付けられたときに、ロックナット５０の底面から本体ナット４０の突起部４４が下方に突出するようにする。
【００４２】
次に、ロックナット５０およびスプリングワッシャー６０が取り付けられた本体ナット４０をボルト３０のネジ部３４に取り付ける。具体的には、ボルト３０のネジ部３４に対して、本体ナット４０を図１２における右回り（時計回りの方向）に回転させながらネジ穴４６の雌ネジ部分４６ａにネジ部３４の雄ネジ部分３４ａが嵌まり込むようにする。このことにより、図９に示すように、第１の部材９０および第２の部材９２はボルト３０のヘッド部３２と本体ナット４０の突起部４４との間に挟まれた状態となり、第２の部材９２が第１の部材９０に固定される。また、ロックナット５０およびスプリングワッシャー６０が取り付けられた本体ナット４０をボルト３０のネジ部３４に取り付けただけでは、ロックナット５０の底面から本体ナット４０の突起部４４が下方に突出しているため、ロックナット５０の底面と第２の部材９２との間に隙間が形成される。
【００４３】
その後、図９に示すような状態でロックナット５０を左回り（図９を上方から見て反時計回りの方向）に回転させると、このロックナット５０が嵌め込まれている本体ナット４０の突起部４４には左ネジの雄ネジ部分４４ａが形成されているため、ロックナット５０は本体ナット４０のナット部４２から遠ざかる方向に移動し、図１０に示すようにロックナット５０の底面が第２の部材９２に接触する。また、図１０や図１１に示すようにスプリングワッシャー６０は収縮された状態から元の状態に戻る。このときに、スプリングワッシャー６０の第１の端部６０ａはロックナット５０の上面に接触した状態となり、また、スプリングワッシャー６０の第２の端部６０ｂは本体ナット４０の段差部４８の底面に接触した状態となる。この状態でロックナット５０を更に左回りに回転させると、ロックナット５０はこれ以上図１０における下方向に移動することができないため、本体ナット４０の突起部４４に対して右回り（図１０を上方から見て時計回りの方向）に回転する力がかかるようになり、ボルト３０のヘッド部３２に対して本体ナット４０がより一層締め付けられる状態となる。このため、本体ナット４０はボルト３０から緩みにくくなる。
【００４４】
また、本実施の形態では、ロックナット５０の底面を第２の部材９２に接触させる際に、接着剤等によりロックナット５０を第２の部材９２に固定するようにしてもよい。この場合には、図１０や図１１に示す状態から本体ナット４０がボルト３０のネジ部３４から緩もうとすると、本体ナット４０は左回り（図１０を上方から見て反時計回りの方向）に回転しようとするが、ロックナット５０が第２の部材９２に固定されていることにより、ロックナット５０に対して本体ナット４０の突起部４４をこれ以上図１０に示す状態から左回り（図１０を上方から見て反時計回りの方向）に回転させることができない。しかも、本体ナット４０が左回り（図１０を上方から見て時計回りの方向）に回転しようとしたときに、スプリングワッシャー６０の第２の端部６０ｂは本体ナット４０の段差部４８の底面に接触した状態であるためこの第２の端部６０ｂが段差部４８の段差部分４８ａに引っ掛かり、また、スプリングワッシャー６０の第１の端部６０ａはロックナット５０の上面に接触した状態であるためこの第１の端部６０ａがロックナット５０の上面の段差部分５０ａに引っ掛かる。このため、本体ナット４０がボルト３０から緩んでしまうことがより一層確実に防止される。
【００４５】
以上のような構成からなる本実施の形態の締結器具によれば、当該締結器具が取り付けられるネジ部３４の外周面には、第１の方向に巻く（具体的には、右ネジの）雄ネジ部分３４ａが形成されており、本体ナット４０は、ナット部４２と、ナット部４２から突出し、第１の方向とは逆方向の第２の方向に巻く（具体的には、左ネジの）雄ネジ部分４４ａが外周面に形成された突起部４４とを有しており、ナット部４２および突起部４４には、ネジ部３４の雄ネジ部分３４ａが螺合する雌ネジ部分４６ａが内周面に形成されたネジ穴４６が設けられている。また、ロックナット５０には、本体ナット４０の突起部４４の雄ネジ部分４４ａが螺合する雌ネジ部分５２ａが内周面に形成されたネジ穴５２が設けられている。このような締結器具によれば、ロックナット５０に対して本体ナット４０の突起部４４を左回りに締めた後にネジ部３４に対して本体ナット４０を右回りに締め、その後に本体ナット４０の突起部４４に対してロックナット５０を左回りに回転させることにより、本体ナット４０がボルト３０から緩みにくくすることができる。
【００４６】
しかも、本実施の形態の締結器具によれば、第１の端部６０ａおよび第２の端部６０ｂがそれぞれ設けられ、弾性変形可能なスプリングワッシャー６０が用いられ、ロックナット５０の表面には、スプリングワッシャー６０の第１の端部６０ａが引っ掛かる複数の段差部分５０ａが形成されており、本体ナット４０は、スプリングワッシャー６０の第２の端部６０ｂが引っ掛かる複数の段差部分４８ａが形成された段差部４８を有している。この場合には、本体ナット４０がボルト３０から緩んでしまうことがより一層確実に防止される。
【００４７】
なお、本実施の形態の締結器具は、上記の構成に限定されることはない。本実施の形態の締結器具の他の例として、ネジ部３４の外周面に、右ネジではなく左ネジの雄ネジ部分３４ａが形成されており、ナット部４２および突起部４４に形成されるネジ穴４６の内周面に、左ネジの雄ネジ部分３４ａが螺合する雌ネジ部分４６ａが形成されていてもよい。この場合には、突起部４４の外周面には、左ネジではなく右ネジの雄ネジ部分４４ａが形成され、ロックナット５０のネジ穴５２の内周面には、右ネジの雄ネジ部分４４ａが螺合する雌ネジ部分５２ａが形成されるようになる。このような締結器具でも、ロックナット５０に対して本体ナット４０の突起部４４を右回りに締めた後にネジ部３４に対して本体ナット４０を左回りに締め、その後に本体ナット４０の突起部４４に対してロックナット５０を右回りに回転させることにより、本体ナット４０がボルト３０から緩みにくくすることができる。
【００４８】
また、本実施の形態では、上述したように、本体ナット４０、ロックナット５０およびスプリングワッシャー６０からなる締結器具と、ボルト３０のネジ部３４とを組み合わせることにより、第１の部材９０を第２の部材９２に固定するための締結構造が構成されている。このような締結構造でも、本体ナット４０がボルト３０から緩みにくくすることができる。
【００４９】
また、本実施の形態の締結器具を用いた締結方法によれば、本体ナット４０の突起部４４をロックナット５０のネジ穴５２に入れることにより突起部４４にロックナット５０を取り付ける際に、図９に示すようにロックナット５０の表面から本体ナット４０の突起部４４が突出するようにする。そして、ネジ部３４を本体ナット４０のネジ穴４６に入れることによりネジ部３４に本体ナット４０を取り付けた後、本体ナット４０に対してロックナット５０を回転させることによりロックナット５０と対象物とを接触させる。この場合には、ボルト３０のヘッド部３２に対して本体ナット４０がより一層締め付けられる状態となるため、本体ナット４０はボルト３０からより一層緩みにくくなる。
【００５０】
また、本実施の形態の締結器具を用いた締結方法において、ロックナット５０と対象物（具体的には、第２の部材９２）とを接触させた後、対象物にロックナット５０を固定した場合には、ロックナット５０に対して本体ナット４０の突起部４４を当該本体ナット４０が緩む方向に回転させることができなくなるため、本体ナット４０がボルト３０から緩んでしまうことが確実に防止される。なお、対象物にロックナット５０を固定する方法は接着剤を用いる方法に限定されることはない。対象物にロックナット５０を固定する方法として、他の様々な方法を用いることができる。
【符号の説明】
【００５１】
１０    本体ナット
１２    ナット部
１４    突起部
１４ａ  雄ネジ部分
１６    ネジ穴
１６ａ  雌ネジ部分
２０    ロックナット
２２    ネジ穴
２２ａ  雌ネジ部分
３０    ボルト
３２    ヘッド部
３４    ネジ部
３４ａ  雄ネジ部分
４０    本体ナット
４２    ナット部
４４    突起部
４４ａ  雄ネジ部分
４６    ネジ穴
４６ａ  雌ネジ部分
４８    段差部
４８ａ  段差部分
５０    ロックナット
５０ａ  段差部分
５２    ネジ穴
５２ａ  雌ネジ部分
６０    スプリングワッシャー
６０ａ  第１の端部
６０ｂ  第２の端部
６２    貫通穴
９０    第１の部材
９２    第２の部材
【図１】
2020109312.tif 000003
【図２】
2020109312.tif 000004
【図３】
2020109312.tif 000005
【図４】
2020109312.tif 000006
【図５】
2020109312.tif 000007
【図６】
2020109312.tif 000008
【図７】
2020109312.tif 000009
【図８】
2020109312.tif 000010
【図９】
2020109312.tif 000011
【図１０】
2020109312.tif 000012
【図１１】
2020109312.tif 000013
【図１２】
2020109312.tif 000014
【図１３】
2020109312.tif 000015
【図１４】
2020109312.tif 000016
【図１５】
2020109312.tif 000017
【図１６】
2020109312.tif 000018
【図１７】
2020109312.tif 000019
【図１８】
2020109312.tif 000020
【図１９】
2020109312.tif 000021
【図２０】
2020109312.tif 000022